【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
複数の送信ポイントからの単一周波数ネットワーク（ＳＦＮ）モードにおいてブロードキャストされた少なくとも１つの同期信号を検出することと、前記少なくとも１つの同期信号は、同期したネットワークにおいてサブフレーム境界に関するタイミングを提供する、
前記複数の送信ポイントのうちの少なくとも１つから送信されたシステム情報を監視するために、前記少なくとも１つの同期信号を検出してから固定された時間の後に生じるサブフレームを決定することと、
前記決定されたサブフレーム中でシステム情報ブロックを監視することと、
前記複数の送信ポイントのうちの少なくとも１つを用いてランダムアクセスチャネル（ＲＡＣＨ）プロシージャを実行することと
を備える、方法。
【請求項２】
前記ＲＡＣＨプロシージャを実行することは、前記複数の送信ポイントのうちの前記少なくとも１つに、延長された送信時間間隔（ＴＴＩ）でＲＡＣＨメッセージを送信することを備える、請求項１に記載の方法。
【請求項３】
システム情報ブロック（ＳＩＢ）送信後に固定されたタイミングでＲＡＣＨを実行することをさらに備える、請求項１に記載の方法。
【請求項４】
前記ＵＥは、様々なリソースブロック（ＲＢ）を有する複数のＲＡＣＨ構成で構成される、請求項１に記載の方法。
【請求項５】
前記ＲＡＣＨプロシージャを実行するために使用されるＲＡＣＨ構成に基づいて情報をシグナリングすることをさらに備える、請求項４に記載の方法。
【請求項６】
前記ＲＡＣＨプロシージャを実行するために使用される前記ＲＡＣＨ構成は、新しいサービス設定または前記ＲＡＣＨプロシージャの緊急度のうちの少なくとも１つを示す、請求項５に記載の方法。
【請求項７】
前記複数の送信ポイントは、送信ポイントの異なるグループを備え、各グループは、異なる仮想セルＩＤと関連付けられる、請求項１に記載の方法。
【請求項８】
複数の送信ポイントは、ＳＦＮモードにおいてシステム情報を送信する、請求項１に記載の方法。
【請求項９】
異なるセルＩＤに対応する異なる送信ポイントは、異なるシステム情報を送信する、請求項１に記載の方法。
【請求項１０】
前記少なくとも１つの同期信号は、電力が増大されるか、延長された持続時間で送信されるか、または狭帯域幅で送信されるうちの少なくとも１つである、請求項１に記載の方法。
【請求項１１】
前記監視されるシステム情報ブロックは、実際のシステムタイミングまたは次のマシンタイプ通信（ＭＴＣ）サブフレームに対するシステムタイミングを搬送するために物理ブロードキャストチャネル（ＰＢＣＨ）とＳＩＢとを組み合わせる、請求項１に記載の方法。
【請求項１２】
ユーザ機器（ＵＥ）によるワイヤレス通信のための方法であって、
複数の送信ポイントのうちの少なくとも１つから送信された同期信号を検出することと、前記複数の送信ポイントの各々は、同期したネットワークにおいてサブフレーム境界に対して異なるオフセット時間で同期信号を送信する、
前記複数の送信ポイントのうちの少なくとも１つから送信されたシステム情報を監視するために、前記同期信号を検出してから固定された時間の後に生じるサブフレームを決定することと、
前記決定されたサブフレーム中でシステム情報ブロックを監視することとを備える、方法。
【請求項１３】
前記複数の送信ポイントのうちの少なくとも１つを用いてランダムアクセスチャネル（ＲＡＣＨ）プロシージャを実行することをさらに備える、請求項１２に記載の方法。
【請求項１４】
前記ＲＡＣＨプロシージャを実行することは、前記複数の送信ポイントのうちの前記少なくとも１つに、延長された送信時間間隔（ＴＴＩ）でＲＡＣＨメッセージを送信することを備える、請求項１３に記載の方法。
【請求項１５】
前記ＵＥは、前記ＲＡＣＨプロシージャ中に、同期したネットワークタイミングを示す応答を受信する、請求項１３に記載の方法。
【請求項１６】
前記ＲＡＣＨプロシージャを実行した後、
複数のサブフレーム中に低電力状態に入ることと、
前記ＵＥと通信するために指定されたサブフレーム中に前記低電力状態から抜け出すこととをさらに備える、請求項１３に記載の方法。
【請求項１７】
前記同期信号は、各送信ポイントによって送信された共通のシーケンスを含む少なくとも一部分を備える、請求項１２に記載の方法。
【請求項１８】
前記複数の送信ポイントは、送信ポイントの異なるグループを備え、各グループは、異なる仮想セルＩＤと関連付けられる、請求項１２に記載の方法。
【請求項１９】
ユーザ機器（ＵＥ）によるワイヤレス通信のための装置であって、
複数の送信ポイントからの単一周波数ネットワーク（ＳＦＮ）モードにおいてブロードキャストされた少なくとも１つの同期信号を検出するための手段と、前記少なくとも１つの同期信号は、同期したネットワークにおいてサブフレーム境界に関するタイミングを提供する、
前記複数の送信ポイントのうちの少なくとも１つから送信されたシステム情報を監視するために、前記少なくとも１つの同期信号を検出してから固定された時間の後に生じるサブフレームを決定するための手段と、
前記決定されたサブフレーム中でシステム情報ブロックを監視するための手段と、
前記複数の送信ポイントのうちの少なくとも１つを用いてランダムアクセスチャネル（ＲＡＣＨ）プロシージャを実行するための手段と
を備える、装置。
【請求項２０】
前記ＲＡＣＨプロシージャを実行するための前記手段は、前記複数の送信ポイントのうちの前記少なくとも１つに、延長された送信時間間隔（ＴＴＩ）でＲＡＣＨメッセージを送信するための手段を備える、請求項１９に記載の装置。
【請求項２１】
ＳＩＢ送信後に固定されたタイミングでＲＡＣＨを実行するための手段をさらに備える、請求項１９に記載の装置。
【請求項２２】
前記ＵＥは、様々なリソースブロック（ＲＢ）を有する複数のＲＡＣＨ構成で構成される、請求項１９に記載の装置。
【請求項２３】
前記ＲＡＣＨプロシージャを実行するために使用されるＲＡＣＨ構成に基づいて情報をシグナリングすることをさらに備える、請求項２２に記載の装置。
【請求項２４】
前記ＲＡＣＨプロシージャを実行するために使用される前記ＲＡＣＨ構成は、新しいサービス設定または前記ＲＡＣＨプロシージャの緊急度のうちの少なくとも１つを示す、請求項２３に記載の装置。
【請求項２５】
ユーザ機器（ＵＥ）によるワイヤレス通信のための装置であって、
複数の送信ポイントのうちの少なくとも１つから送信された同期信号を検出するための手段と、前記複数の送信ポイントの各々は、同期したネットワークにおいてサブフレーム境界に対して異なるオフセット時間で同期信号を送信する、
前記複数の送信ポイントのうちの少なくとも１つから送信されたシステム情報を監視するために、前記同期信号を検出してから固定された時間の後に生じるサブフレームを決定するための手段と、
前記決定されたサブフレーム中でシステム情報ブロックを監視するための手段とを備える、装置。
【請求項２６】
前記複数の送信ポイントのうちの少なくとも１つを用いてランダムアクセスチャネル（ＲＡＣＨ）プロシージャを実行するための手段をさらに備える、請求項２５に記載の装置。
【請求項２７】
前記ＲＡＣＨプロシージャを実行するための前記手段は、前記複数の送信ポイントのうちの前記少なくとも１つに、延長された送信時間間隔（ＴＴＩ）でＲＡＣＨメッセージを送信するための手段を備える、請求項２６に記載の装置。
【請求項２８】
前記ＵＥは、前記ＲＡＣＨプロシージャ中に、同期したネットワークタイミングを示す応答を受信する、請求項２６に記載の装置。
【手続補正２】
【補正対象書類名】明細書
【補正対象項目名】００８８
【補正方法】変更
【補正の内容】
【００８８】
[0103]本開示についての以上の説明は、いかなる当業者も本開示を作成または使用することができるようにするために提供される。本開示への種々の修正は当業者には容易に明らかとなり、本明細書で規定された一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、出願当初の特許請求の範囲に記載された発明を付記する。
［Ｃ１］
ユーザ機器（ＵＥ）によるワイヤレス通信のための方法であって、
複数の送信ポイントからの単一周波数ネットワーク（ＳＦＮ）モードにおいてブロードキャストされた少なくとも１つの同期信号を検出することと、前記少なくとも１つの同期信号は、同期したネットワークにおいてサブフレーム境界に関するタイミングを提供する、
前記複数の送信ポイントのうちの少なくとも１つから送信されたシステム情報を監視するために、前記少なくとも１つの同期信号を検出してから固定された時間の後に生じるサブフレームを決定することと、
前記決定されたサブフレーム中でシステム情報ブロックを監視することとを備える、方法。
［Ｃ２］
前記複数の送信ポイントのうちの少なくとも１つを用いてランダムアクセスチャネル（ＲＡＣＨ）プロシージャを実行することをさらに備える、Ｃ１に記載の方法。
［Ｃ３］
前記ＲＡＣＨプロシージャを実行することは、前記複数の送信ポイントのうちの前記少なくとも１つに、延長された送信時間間隔（ＴＴＩ）でＲＡＣＨメッセージを送信することを備える、Ｃ２に記載の方法。
［Ｃ４］
システム情報ブロック（ＳＩＢ）送信後に固定されたタイミングでＲＡＣＨを実行することをさらに備える、Ｃ２に記載の方法。
［Ｃ５］
前記ＵＥは、様々なリソースブロック（ＲＢ）を有する複数のＲＡＣＨ構成で構成される、Ｃ２に記載の方法。
［Ｃ６］
前記ＲＡＣＨプロシージャを実行するために使用されるＲＡＣＨ構成に基づいて情報をシグナリングすることをさらに備える、Ｃ５に記載の方法。
［Ｃ７］
前記ＲＡＣＨプロシージャを実行するために使用される前記ＲＡＣＨ構成は、新しいサービス設定または前記ＲＡＣＨプロシージャの緊急度のうちの少なくとも１つを示す、Ｃ６に記載の方法。
［Ｃ８］
前記複数の送信ポイントは、送信ポイントの異なるグループを備え、各グループは、異なる仮想セルＩＤと関連付けられる、Ｃ１に記載の方法。
［Ｃ９］
複数の送信ポイントは、ＳＦＮモードにおいてシステム情報を送信する、Ｃ１に記載の方法。
［Ｃ１０］
異なるセルＩＤに対応する異なる送信ポイントは、異なるシステム情報を送信する、Ｃ１に記載の方法。
［Ｃ１１］
前記少なくとも１つの同期信号は、電力が増大されるか、延長された持続時間で送信されるか、または狭帯域幅で送信されるうちの少なくとも１つである、Ｃ１に記載の方法。
［Ｃ１２］
前記監視されるシステム情報ブロックは、実際のシステムタイミングまたは次のマシンタイプ通信（ＭＴＣ）サブフレームに対するシステムタイミングを搬送するために物理ブロードキャストチャネル（ＰＢＣＨ）とＳＩＢとを組み合わせる、Ｃ１に記載の方法。
［Ｃ１３］
ユーザ機器（ＵＥ）によるワイヤレス通信のための方法であって、
複数の送信ポイントのうちの少なくとも１つから送信された同期信号を検出することと、前記複数の送信ポイントの各々は、同期したネットワークにおいてサブフレーム境界に対して異なるオフセット時間で同期信号を送信する、
前記複数の送信ポイントのうちの少なくとも１つから送信されたシステム情報を監視するために、前記同期信号を検出してから固定された時間の後に生じるサブフレームを決定することと、
前記決定されたサブフレーム中でシステム情報ブロックを監視することとを備える、方法。
［Ｃ１４］
前記複数の送信ポイントのうちの少なくとも１つを用いてランダムアクセスチャネル（ＲＡＣＨ）プロシージャを実行することをさらに備える、Ｃ１３に記載の方法。
［Ｃ１５］
前記ＲＡＣＨプロシージャを実行することは、前記複数の送信ポイントのうちの前記少なくとも１つに、延長された送信時間間隔（ＴＴＩ）でＲＡＣＨメッセージを送信することを備える、Ｃ１４に記載の方法。
［Ｃ１６］
前記ＵＥは、前記ＲＡＣＨプロシージャ中に、同期したネットワークタイミングを示す応答を受信する、Ｃ１４に記載の方法。
［Ｃ１７］
前記ＲＡＣＨプロシージャを実行した後、
複数のサブフレーム中に低電力状態に入ることと、
前記ＵＥと通信するために指定されたサブフレーム中に前記低電力状態から抜け出すこととをさらに備える、Ｃ１４に記載の方法。
［Ｃ１８］
前記同期信号は、各送信ポイントによって送信された共通のシーケンスを含む少なくとも一部分を備える、Ｃ１３に記載の方法。
［Ｃ１９］
前記複数の送信ポイントは、送信ポイントの異なるグループを備え、各グループは、異なる仮想セルＩＤと関連付けられる、Ｃ１３に記載の方法。
［Ｃ２０］
ユーザ機器（ＵＥ）によるワイヤレス通信のための装置であって、
複数の送信ポイントからの単一周波数ネットワーク（ＳＦＮ）モードにおいてブロードキャストされた少なくとも１つの同期信号を検出するための手段と、前記少なくとも１つの同期信号は、同期したネットワークにおいてサブフレーム境界に関するタイミングを提供する、
前記複数の送信ポイントのうちの少なくとも１つから送信されたシステム情報を監視するために、前記少なくとも１つの同期信号を検出してから固定された時間の後に生じるサブフレームを決定するための手段と、
前記決定されたサブフレーム中でシステム情報ブロックを監視するための手段とを備える、装置。
［Ｃ２１］
前記複数の送信ポイントのうちの少なくとも１つを用いてランダムアクセスチャネル（ＲＡＣＨ）プロシージャを実行するための手段をさらに備える、Ｃ２０に記載の装置。
［Ｃ２２］
前記ＲＡＣＨプロシージャを実行するための前記手段は、前記複数の送信ポイントのうちの前記少なくとも１つに、延長された送信時間間隔（ＴＴＩ）でＲＡＣＨメッセージを送信するための手段を備える、Ｃ２１に記載の装置。
［Ｃ２３］
ＳＩＢ送信後に固定されたタイミングでＲＡＣＨを実行するための手段をさらに備える、Ｃ２１に記載の装置。
［Ｃ２４］
前記ＵＥは、様々なリソースブロック（ＲＢ）を有する複数のＲＡＣＨ構成で構成される、Ｃ２１に記載の装置。
［Ｃ２５］
前記ＲＡＣＨプロシージャを実行するために使用されるＲＡＣＨ構成に基づいて情報をシグナリングすることをさらに備える、Ｃ２４に記載の装置。
［Ｃ２６］
前記ＲＡＣＨプロシージャを実行するために使用される前記ＲＡＣＨ構成は、新しいサービス設定または前記ＲＡＣＨプロシージャの緊急度のうちの少なくとも１つを示す、Ｃ２５に記載の装置。
［Ｃ２７］
ユーザ機器（ＵＥ）によるワイヤレス通信のための装置であって、
複数の送信ポイントのうちの少なくとも１つから送信された同期信号を検出するための手段と、前記複数の送信ポイントの各々は、同期したネットワークにおいてサブフレーム境界に対して異なるオフセット時間で同期信号を送信する、
前記複数の送信ポイントのうちの少なくとも１つから送信されたシステム情報を監視するために、前記同期信号を検出してから固定された時間の後に生じるサブフレームを決定するための手段と、
前記決定されたサブフレーム中でシステム情報ブロックを監視するための手段とを備える、装置。
［Ｃ２８］
前記複数の送信ポイントのうちの少なくとも１つを用いてランダムアクセスチャネル（ＲＡＣＨ）プロシージャを実行するための手段をさらに備える、Ｃ２７に記載の装置。
［Ｃ２９］
前記ＲＡＣＨプロシージャを実行するための前記手段は、前記複数の送信ポイントのうちの前記少なくとも１つに、延長された送信時間間隔（ＴＴＩ）でＲＡＣＨメッセージを送信するための手段を備える、Ｃ２８に記載の装置。
［Ｃ３０］
前記ＵＥは、前記ＲＡＣＨプロシージャ中に、同期したネットワークタイミングを示す応答を受信する、Ｃ２８に記載の装置。